(57)【特許請求の範囲】
【請求項１】
浴室の給湯配管系に接続される噴出湯管に設けた湯噴出ノズルが加熱湯を噴射させると同時に、この湯噴出ノズルからの加熱湯の噴射による負圧作用により、前記浴室内の空気を吸気口から吸気するとともに、吹出口から加熱空気を排出させてなる一方、前記湯噴出ノズル付近に前記浴室内の温度を検知する温度検知機器を設置し、この温度検知機器による測温値により前記浴室内の温度制御を行なうミストサウナ装置において、
前記湯噴出ノズルから加熱湯を噴射させることにより前記浴室内を設定温度まで加熱する初期加熱時に、前記浴室内が設定温度以下の一定温度から設定温度に上昇する加熱再開までの時間を記憶させ、
前記浴室内が設定温度に到達した時、前記湯噴出ノズルからの加熱湯の噴射を一旦停止させた後、
前記記憶した加熱再開までの時間毎に前記湯噴出ノズルからの加熱湯の噴射のＯＮ・ＯＦＦを繰り返す制御を行なうことを特徴とするミストサウナ装置。
【請求項２】
浴室の給湯配管系に接続される噴出湯管に設けた湯噴出ノズルが加熱湯を噴射させると同時に、この湯噴出ノズルからの加熱湯の噴射による負圧作用により、前記浴室内の空気を吸気口から吸気するとともに、吹出口から加熱空気を排出させてなる一方、前記湯噴出ノズル付近に前記浴室内の温度を検知する温度検知機器を設置し、この温度検知機器による測温値により前記浴室内の温度制御を行なうミストサウナ装置において、
前記湯噴出ノズルから加熱湯を噴射させることにより前記浴室内を設定温度まで加熱する初期加熱時に、前記浴室内が設定温度に到達した時点で、前記湯噴出ノズルからの加熱湯の噴射を停止させ、
その後、加熱再開までの一定時間毎に前記湯噴出ノズルからの加熱湯の噴射を繰り返すとともに、
この加熱再開までの一定時間毎の加熱湯の噴射時間は、前記浴室内が設定温度に到達した時点で、前記湯噴出ノズルからの加熱湯の噴射を停止させるように制御を行なうことを特徴とするミストサウナ装置。
【発明の詳細な説明】
【０００１】
【発明の属する技術分野】
この発明は、例えば一般家庭の浴室などに設置される湯噴射式のミストサウナ装置に関し、特に、浴室内の温度制御を正確に行なえるようにしたものである。
【０００２】
【従来の技術】
例えばマンション等の集合住宅などにおけるユニットバスルーム内にミストサ装置を設置して、バスルームをサウナルームとして兼用してなるものが開発され実用に供されている。
【０００３】
従来、この種のミストサウナ装置においては、例えばユニット本体の外装体内の上部に浴室の給湯配管系に接続される噴出湯管を設け、この噴出湯管に設けた湯噴出ノズルから加熱湯を熱交換器に向け噴射させる一方、外装体内の下部にファンユニットを設け、このファンユニットにて外装体の上部に設けた吸気口から浴室内の空気を吸気すると同時に、外装体の下部に設けた吹出口から熱交換器にて熱交換された加熱空気を吹き出させてなる構成を有するものがある。
【０００４】
そして、このようなユニット本体の外装体内の吸気口付近、あるいは、外装体外の吸気口付近の浴室内壁面や、浴室内壁面に設置されるリモートコントローラには、浴室内の温度を測温する温度検知機器としてのサーミスタが設置され、このサーミスタによる浴室温の検知によって湯噴出ノズルからの加熱湯の噴射を制御し、浴室内の温度制御が行なわれるようになっている。
【０００５】
【発明が解決しようとする課題】
しかしながら、上記した従来構造のミストサウナ装置にあっては、ファンユニットが停止したり、湯噴出ノズルからの加熱湯の噴射を止めると、ファンユニットによる吸気、あるいは、湯噴出ノズルの噴射にて発生する負圧作用よる吸気機能も停止し、これによって、装置稼働中においてサーミスタに浴室内の空気が当たらないために、サーミスタによる正確な測温が行なえず、温度制御時の浴室温の変動が大きいことから、加熱再開時のタイミングが分からないばかりでなく、サーミスタに対する施工・配線が面倒である。
【０００６】
しかも、外装体内にファンユニットを組み込んでなるために、装置全体として高価となり、メンテナンスも容易に行なうことができない。
【０００７】
また従来、噴出湯管に設けた湯噴出ノズルから加熱湯を噴射させると同時に、その加熱湯の噴射による負圧作用により外装体の上部に設けた吸気口から浴室内の空気を吸気するとともに、加熱湯の噴射にて熱交換された加熱空気を外装体の下部に設けた吹出口から吹き出させてなる構成を有する湯噴射式のミストサウナ装置が知られている。
【０００８】
このような湯噴射式のミストサウナ装置は、外装体内にファンユニットを組み込む必要がないために、装置全体としてのコストダウンやメンテナンスの向上を図ることができる反面、加熱と吸気とを湯噴出ノズルからの加熱湯の噴射による負圧作用と同時に行なっていることから、装置稼働中における温度制御時の湯噴出ノズルからの加熱湯の噴射を一時的に停止した際、吸気機能も止まり、これによって、サーミスタによる浴室内の空気の正確な温度の測温が不能になって、浴室内温度制御時の加熱再開タイミングを把握することができないという問題があった。
【０００９】
この発明の目的は、装置稼働中における浴室内の温度の測温が正確に行なえ、浴室内温度制御時の加熱再開タイミングを容易に把握することができるようにしたミストサウナ装置を提供することにある。
【００１０】
【課題を解決するための手段】
上記した課題を解決するために、この発明は、浴室の給湯配管系に接続される噴出湯管に設けた湯噴出ノズルが加熱湯を噴射させると同時に、この湯噴出ノズルからの加熱湯の噴射による負圧作用により、前記浴室内の空気を吸気口から吸気するとともに、吹出口から加熱空気を排出させてなる一方、前記湯噴出ノズル付近に前記浴室内の温度を検知する温度検知機器を設置し、この温度検知機器による測温値により前記浴室内の温度制御を行なうミストサウナ装置において、前記湯噴出ノズルから加熱湯を噴射させることにより前記浴室内を設定温度まで加熱する初期加熱時に、前記浴室内が設定温度以下の一定温度から設定温度に上昇する加熱再開までの時間を記憶させ、前記浴室内が設定温度に到達した時、前記湯噴出ノズルからの加熱湯の噴射を一旦停止させた後、前記記憶した加熱再開までの時間毎に前記湯噴出ノズルからの加熱湯の噴射のＯＮ・ＯＦＦを繰り返す制御を行なうことを特徴とするものである。
【００１１】
また、この発明は、上記したミストサウナ装置において、前記湯噴出ノズルから加熱湯を噴射させることにより前記浴室内を設定温度まで加熱する初期加熱時に、前記浴室内が設定温度に到達した時点で、前記湯噴出ノズルからの加熱湯の噴射を停止させ、その後、加熱再開までの一定時間毎に前記湯噴出ノズルからの加熱湯の噴射を繰り返すとともに、この加熱再開までの一定時間毎の加熱湯の噴射時間は、前記浴室内が設定温度に到達した時点で、前記湯噴出ノズルからの加熱湯の噴射を停止させるように制御を行なうことを特徴とするものである。
【００１２】
【発明の実施の形態】
以下、この発明の実施の形態を図面を参照しながら詳細に説明すると、図１はこの発明に係る湯噴射式のミストサウナ装置が設置された浴室内の全体構成を示すもので、図中１はミストサウナ装置のユニット本体である。
【００１３】
このユニット本体１は、図２及び図３に示すように、外装体２と、この外装体２内の上部に配設された加熱湯Ｈ・Ｗの給湯配管系に電磁弁３を介して接続される噴出湯管４と、この噴出湯管４に接続されて設けた複数の湯噴出ノズル５とを備えてなる構成を有する。
【００１４】
そして、前記各々の湯噴出ノズル５からは、装置稼働中において給湯配管系からの加熱湯Ｈ・Ｗが噴射されると同時に、その加熱湯Ｈ・Ｗの噴射による負圧作用により、前記外装体２の上部に設けた吸気口２１から浴室内の空気Ａを吸気するようになっているとともに、加熱湯Ｈ・Ｗにて熱交換された加熱空気Ｂを前記外装体２の下部に設けた吹出口２２から浴室内に向け吹き出させるようになっている。
【００１５】
また、図中６は前記外装体２内の吸気口２１付近の前記各々の湯噴出ノズル５から噴射される加熱湯Ｈ・Ｗが直接当たらない位置に設置された温度検知機器としてのサーミスタで、このサーミスタ６は、装置稼働中において前記各々の湯噴出ノズル５から噴射される加熱湯Ｈ・Ｗの噴射による負圧作用により吸気される浴室内の空気Ａの温度を検知し、後述するように、その測温値により前記浴室内の温度制御を行なうようになっている。
【００１６】
図４及び図５は、この発明に係るミストサウナ装置における温度制御状態の実施の形態を示すもので、装置稼働中において各々の湯噴出ノズル５からの加熱湯Ｈ・Ｗの噴射停止による浴室内の加熱停止時には、浴室内の空気Ａの吸気が止まるために、サーミスタ６は正しい室温を検知できなくなる。
【００１７】
一方、図４に示すように、加熱停止直前の温度上昇率α（℃／分）と、停止時の温度低下率β（℃／分）とはほぼ反比例し、このため、加熱運転再開時の運転スイッチのＯＮ点と加熱運転停止時のＯＦＦ点の設定温度差を一定にすれば、温度上昇率αと加熱再開までの時間Ｔ（分）は、図５に示すように、ほぼ比例関係になる。
【００１８】
すなわち、浴室内の空気Ａの温度（外気温）が高くて温度上昇率αが高いときには、暫く時間をおいて加熱を再開し、浴室内の空気Ａの温度（外気温）が低くて温度上昇率αが低いときには、直ぐに加熱を再開するように制御すれば、どのような空気Ａの温度（外気温）においても、ほぼ同じＯＮ点に設定でき、ＯＮ点が下がり過ぎて入浴中に寒くなることも防げる。
【００１９】
これによって、各々の湯噴出ノズル５から加熱湯Ｈ・Ｗを噴射させて浴室内を設定温度まで加熱する初期加熱時に、浴室内が設定温度以下の一定温度から設定温度に上昇する加熱再開までの時間Ｔを記憶させるとともに、浴室内が設定温度に到達した時、各々の湯噴出ノズル５からの加熱湯Ｈ・Ｗの噴射を一旦停止させた後、記憶した加熱再開までの時間Ｔ毎に各々の湯噴出ノズルからの加熱湯Ｈ・Ｗの噴射のＯＮ・ＯＦＦを繰り返すような制御を行なうことにより、各々の加熱用湯噴出ノズル５から加熱湯Ｈ・Ｗが噴射されていなくても、加熱時の加熱湯Ｈ・Ｗの温度上昇速度から加熱再開のタイミングが予測可能となるために、温度制御時の浴室温の変動が小さく、浴室内の温度制御が正確に行なえる。
【００２０】
また、図６及び図７は、この発明に係るミストサウナ装置における温度制御状態の他の実施の形態を示し、各々の加熱用湯噴出ノズル５から噴射される加熱湯Ｈ・Ｗによる浴室内の加熱停止中においては、サーミスタ６による測温が不正確になるために、加熱再開までの一定の時間ｔ毎に各々の湯噴出ノズル５から加熱湯Ｈ・Ｗの噴射を行ないながら測温し、所定の設定温度（ＯＦＦ点）まで加熱したら停止することにより、浴室温の温度制御を行なうようにしてなるもので、この場合、図６に示すように、浴室内の空気Ａの温度（外気温）が低いときは、噴射時間ｔ０  が長くなり、図７に示すように、浴室内の空気Ａの温度（外気温）が高いときは、噴射時間ｔ０  が短くなる。
【００２１】
すなわち、浴室内の温度が設定温度に到達した時点で、各々の湯噴出ノズル５からの加熱湯Ｈ・Ｗの噴射を停止させ、その後、加熱再開までの一定時間ｔ毎に各々の湯噴出ノズル５からの加熱湯Ｈ・Ｗの噴射のＯＮ・ＯＦＦを繰り返すとともに、この一定時間ｔ毎の加熱湯Ｈ・Ｗの噴射時間ｔ０  を浴室内の温度が設定温度に到達した時点で、各々の湯噴出ノズル５からの加熱湯Ｈ・Ｗの噴射を停止させるように制御を行なうことにより、加熱再開までの一定時間ｔ毎に加熱湯Ｈ・Ｗが噴射している間に正確な浴室内の温度の測温が可能になるために、浴室温の温度制御も正確に行なえる。
【００２２】
【発明の効果】
以上の説明から明らかなように、この発明は、湯噴出ノズルから加熱湯を噴射させることにより浴室内を設定温度まで加熱する初期加熱時に、浴室内が設定温度以下の一定温度から設定温度に上昇する加熱再開までの時間を記憶させ、浴室内が設定温度に到達した時、湯噴出ノズルからの加熱湯の噴射を一旦停止させた後、記憶した加熱再開までの時間毎に湯噴出ノズルからの加熱湯の噴射のＯＮ・ＯＦＦを繰り返す制御を行なうようになっていることから、加熱時の加熱湯の温度上昇速度から加熱再開のタイミングを容易に予測できるために、温度制御時の浴室温の変動を小さくすることができ、これによって、浴室内の温度制御を正確に行なうことができる。
【００２３】
また、請求項２において、浴室内が設定温度に到達した時点で、湯噴出ノズルからの加熱湯の噴射を停止させ、その後、加熱再開までの一定時間毎に湯噴出ノズルからの加熱湯の噴射を繰り返すとともに、この加熱再開までの一定時間毎の加熱湯の噴射時間を浴室内が設定温度に到達した時点で、湯噴出ノズルからの加熱湯の噴射を停止させるように制御を行なうようにしてなることから、加熱再開までの一定時間毎に加熱湯が噴射している間に浴室内の温度の測温を正確に行なうことができる。
【００２４】
しかも、従前のように、浴室内側に別途温度検知機器を設置したり、ファンユニットを設置する必要がないために、施工、配線を容易に行なうことができるとともに、装置全体のコストダウンやメンテナンスの向上を図ることができる。
【図面の簡単な説明】
【図１】この発明に係るミストサウナ装置の浴室内への設置状態を示す概略的説明図。
【図２】同じくミストサウナ装置の拡大断面図。
【図３】同じく給湯配管系に接続される噴出湯管への湯噴出ノズルの配設状態の説明図。
【図４】同じく温度制御状態の説明図。
【図５】同じく温度上昇率と加熱再開までの時間との関係を示す説明図。
【図６】この発明に係る他の温度制御状態の外気温が低いときの実施の形態を示す説明図。
【図７】同じく外気温が高いときの実施の形態を示す説明図。
【符号の説明】
１・・・・ユニット本体、
２・・・・外装体、
３・・・・電磁弁、
４・・・・噴出湯管、
５・・・・湯噴出ノズル、
６・・・・温度検知機器（サーミスタ）、
Ｈ・Ｗ・・・・加熱湯、
Ａ・・・・空気、
Ｂ・・・・加熱空気、
Ｔ，ｔ・・・・加熱再開までの時間、
α・・・・温度上昇率、
β・・・・温度低下率。
【図１】
0003589526.tif 000002
【図２】
0003589526.tif 000003
【図３】
0003589526.tif 000004
【図４】
0003589526.tif 000005
【図５】
0003589526.tif 000006
【図６】
0003589526.tif 000007
【図７】
0003589526.tif 000008